(57)【要約】  他の電子デバイスと通信することができる電子デバイス１００であって、この電子デバイス１００は、ユーザ操作体の入力を受信するように配置される入力装置１１０と、ユーザの入力に基づきユーザの生理的体調情報を検出する検出装置１２０と、検出結果データを他の電子デバイスに発信し、他の電子デバイスでユーザに検出された結果データを提示するように配置される発信装置１３０と、を含む。この電子デバイス１００によって、ユーザが日常生活において自分の健康状況を便利に知ることができ、ユーザの使用が便利になり、ユーザ体験が向上される。さらに、電子デバイスシステムと、情報処理方法と、情報提示方法とを提供する。
2019514443.tif 000002
【特許請求の範囲】
【請求項１】
他のデバイスと通信することができる電子デバイスであって、
ユーザ操作体の入力を受信するように配置される入力装置と、
前記ユーザ操作体の入力に基づきユーザの生理的体調情報を検出し、検出結果を得るように配置される検出装置と、
前記検出結果データを前記他のデバイスに発信し、前記他のデバイスで前記ユーザに前記検出された結果を提供するように配置される発信装置と、
を含む、電子デバイス。
【請求項２】
前記検出装置は、検出光源と、光受信ユニットと、処理ユニットとを含み、
前記検出光源は前記ユーザ操作体に光線を射出するように配置され、
前記光受信ユニットは前記ユーザ操作体から反射されてくる光線を受信するように配置され、
前記処理ユニットは前記ユーザの生理的体調情報を取得するように、前記反射されてくる光線を処理するように配置される、
請求項１に記載の電子デバイス。
【請求項３】
前記処理ユニットは、光電変換ユニットと数字信号処理ユニットとを含み、
前記光電変換ユニットは前記光受信ユニットが受信された光線を電気信号に変換するように配置され、
前記数字信号処理ユニットは前記電気信号に応じて前記ユーザの生理的体調情報を算出するように配置される、
請求項２に記載の電子デバイス。
【請求項４】
前記入力装置は前記電子デバイスのボタンである、請求項１〜３のいずれかに記載の電子デバイス。
【請求項５】
前記電子デバイスは前記他の電子デバイスを制御するリモコンであり、前記ボタンは前記リモコンのスイッチボタンである、請求項４に記載の電子デバイス。
【請求項６】
前記入力装置より受信される前記ユーザ操作体の入力は、前記入力装置の押下操作を含む、請求項１〜５のいずれかに記載の電子デバイス。
【請求項７】
前記ユーザ操作体は前記ユーザの指を含む、請求項１〜６のいずれかに記載の電子デバイス。
【請求項８】
前記ボタンが前記ユーザ操作体に接触される部分は透明材料によって製造され、前記検出装置は前記透明材料の下方に位置する、請求項４〜５のいずれかに記載の電子デバイス。
【請求項９】
前記入力装置は、入力信号が受信された後に、前記検出光源にスイッチオンの指令を発信し、前記検出光源をスイッチオンさせるように配置される、請求項２〜８のいずれかに記載の電子デバイス。
【請求項１０】
前記生理的体調情報は血糖の検出と血液の酸素含有量の少なくとも１つを含む、請求項１〜９のいずれかに記載の電子デバイス。
【請求項１１】
通信媒体によって少なくとも１つの第２電子デバイスに通信可能な第１電子デバイスと、少なくとも１つの第２電子デバイスとを含む電子デバイスシステムであって、
前記第１電子デバイスは、
ユーザ操作体の入力を受信するように配置される入力装置と、
ユーザ操作体の入力に応じユーザの生理的体調情報を検出するように配置される検出装置と、
検出結果データを前記第２電子デバイスに発信するように配置される発信装置と、を含み、
各第２電子デバイスは、
前記検出結果データを受信するように配置される受信装置と、
前記ユーザに前記検出結果データを提示するように配置される提示装置と、を含む、
電子デバイスシステム。
【請求項１２】
前記提示装置は、ユーザに前記検出結果データを表示し、または音声放送するための表示ユニットとラウドスピーカーの少なくとも１つを含む、請求項１１に記載の電子デバイスシステム。
【請求項１３】
前記第２電子デバイスは、前記受信装置より受信された検出結果データを画像データと音声データの少なくとも１つに変換し前記提示装置に発信するためのデータ処理装置を更に含む、請求項１１〜１２のいずれかに記載の電子デバイスシステム。
【請求項１４】
前記通信媒体は、赤外線伝送媒体や、ブルートゥース（登録商標）伝送媒体や、近場通信伝送媒体を含む、請求項１１〜１３のいずれかに記載の電子デバイスシステム。
【請求項１５】
前記第２電子デバイスはインテリジェントテレビであり、前記第１電子デバイスは前記インテリジェントテレビのリモコンである、請求項１１〜１４のいずれかに記載の電子デバイスシステム。
【請求項１６】
他の電子デバイスに通信を行うことができる電子デバイスに適用される情報処理方法であって、
ユーザ操作体の入力を受信することと、
ユーザの入力に基づきユーザの生理的体調情報を検出することと、
検出結果データを前記他の電子デバイスに発信し、前記他の電子デバイスで前記ユーザに前記検出された結果データを提示することと、を含む、
情報処理方法。
【請求項１７】
ユーザ操作体の入力に基づきユーザの生理的体調情報を検出する前記ステップは、
前記ユーザ操作体に検出光線を射出することと、
前記ユーザ操作体から反射されてくる光線を受信することと、
前記ユーザの生理的体調情報を取得するように前記反射されてくる光線を処理することと、を含む、
請求項１６に記載の処理方法。
【請求項１８】
前記ユーザの生理的体調情報を取得するように前記反射されてくる光線を処理するステップは、
前記反射されてくる光線を電気信号に変換することと、
前記電気信号に応じて前記ユーザの生理的体調情報を算出することと、
を含む、
請求項１７に記載の処理方法。
【請求項１９】
ユーザ操作体の入力を受信する前記ステップは、前記ユーザ操作体が前記電子デバイスのボタンに対する入力を受信することと、を含む、請求項１６〜１８のいずれかに記載の処理方法。
【請求項２０】
前記電子デバイスは前記他の電子デバイスを制御するためのリモコンであり、前記ユーザ操作体が前記電子デバイスのボタンに対する入力を受信する前記ステップは、前記ユーザ操作体が前記リモコンのスイッチボタンに対する入力を受信すること、を含む、請求項１９に記載の処理方法。
【請求項２１】
ユーザ操作体の入力を受信する前記ステップは、ユーザ操作体が前記電子デバイスの押下入力を受信すること、を含む、請求項１６に記載の処理方法。
【請求項２２】
ユーザ操作体の入力を受信する前記スッテプの後に、前記方法は、入力信号に応じて検出光源をスイッチオンさせるスイッチオン指令を送信し、検出光源をスイッチオンさせ前記ユーザ操作体に検出光源を出射すること、を更に含む、請求項１７に記載の処理方法。
【請求項２３】
前記生理的体調情報は、血糖の検出と血液の酸素含有量の少なくとも１つを含む、請求項１６〜１８のいずれかに記載の処理方法。
【請求項２４】
情報提示方法であって、
第１電子デバイスでユーザ操作体の入力を受信することと、
前記第１電子デバイスがユーザ操作体の入力に応じてユーザの生理的体調情報を検出することと、
前記第１電子デバイスが検出結果データを通信媒体によって接続される前記第２電子デバイスに発信することと、
前記第２電子デバイスが前記検出結果データを受信することと、
前記第２電子デバイスは前記ユーザに前記検出結果データを提示することと、
を含む、情報提示方法。
【請求項２５】
前記第２電子デバイスが前記ユーザに前記検出結果データを提示するステップは、ユーザに前記検出結果データを表示し、または音声放送すること、を含む、請求項２４に記載の方法。
【請求項２６】
前記第２電子デバイスが前記ユーザに前記検出結果データを提示するステップは、前記第２電子デバイスが前記受信された検出結果データを画像データまたは音声データに変換した後に、ユーザに前記検出結果データを提示すること、を含む、請求項２４に記載の方法。
【請求項２７】
前記第２電子デバイスはインテリジェントテレビであり、前記第１電子デバイスは前記インテリジェントテレビのリモコンである、請求項２４〜２６のいずれかに記載の方法。
【発明の詳細な説明】
【技術分野】
【０００１】
本開示の少なくとも１つの実施例は、電子デバイスと、電子デバイスシステムと、情報処理方法及び情報提示方法に関する。
【背景技術】
【０００２】
従来、非外傷性医療検出製品が既にユーザに幅広く使用されており、この製品は測定機器と測定対象を皮膚接触する手段などで、間接的に生命体の生理的あるいは生化学的パラメータをガイドあるいはセンスする。
【０００３】
従来、市場で人間の各生理的指標を検出可能な着用式デバイスが多く、これらの着用式デバイスは人間の生理的指標を検出することができるが、モバイル端子でアプリをダウンロードして使用する必要があり、コストも高い。
【発明の概要】
【課題を解決するための手段】
【０００４】
本開示の少なくとも１つの実施例によれば、他のデバイスと通信することができる電子デバイスであって、
ユーザ操作体の入力を受信するように配置される入力装置と、
前記ユーザ操作体の入力に基づきユーザの生理的体調情報を検出し、検出結果を得るように配置される検出装置と、
前記検出結果データを前記他のデバイスに発信し、前記他のデバイスで前記ユーザに前記検出された結果を提供するように配置される発信装置と、
を含む。
【０００５】
例えば、前記検出装置は、検出光源と、光受信ユニットと、処理ユニットとを含み、
前記検出光源は前記ユーザ操作体に光線を射出するように配置され、
前記光受信ユニットは前記ユーザ操作体から反射されてくる光線を受信するように配置され、
前記処理ユニットは前記ユーザの生理的体調情報を取得するように、前記反射されてくる光線を処理するように配置される。
例えば、前記処理ユニットは、光電変換ユニットと数字信号処理ユニットとを含み、
前記光電変換ユニットは前記光受信ユニットが受信された光線を電気信号に変換するように配置され、
前記数字信号処理ユニットは前記電気信号に応じて前記ユーザの生理的体調情報を算出するように配置される。
【０００６】
例えば、前記入力装置は前記電子デバイスのボタンである。
【０００７】
例えば、前記電子デバイスは前記他の電子デバイスを制御するリモコンであり、前記ボタンは前記リモコンのスイッチボタンである。
【０００８】
例えば、前記入力装置より受信される前記ユーザ操作体の入力は、前記入力装置の押下操作を含む。
【０００９】
例えば、前記ユーザ操作体は前記ユーザの指を含む。
【００１０】
例えば、前記ボタンが前記ユーザ操作体に接触される部分は透明材料によって製造され、前記検出装置は前記透明材料の下方に位置する。
【００１１】
例えば、前記入力装置は、入力信号が受信された後に、前記検出光源にスイッチオンの指令を発信し、前記検出光源をスイッチオンさせるように配置される。
【００１２】
例えば、前記生理的体調情報は血糖の検出と血液の酸素含有量の少なくとも１つを含む。
【００１３】
本開示の少なくとも１つの実施例によれば、通信媒体によって少なくとも１つの第２電子デバイスに通信可能な第１電子デバイスと、少なくとも１つの第２電子デバイスとを含む電子デバイスシステムであって、
前記第１電子デバイスは、
ユーザ操作体の入力を受信するように配置される入力装置と、
ユーザ操作体の入力に応じユーザの生理的体調情報を検出するように配置される検出装置と、
検出結果データを前記第２電子デバイスに発信するように配置される発信装置と、を含み、
各第２電子デバイスは、
前記検出結果データを受信するように配置される受信装置と、
前記ユーザに前記検出結果データを提示するように配置される提示装置と、を含む。
【００１４】
例えば、前記提示装置は、ユーザに前記検出結果データを表示し、または音声放送するための表示ユニットとラウドスピーカーの少なくとも１つを含む。
【００１５】
例えば、前記第２電子デバイスは、前記受信装置より受信された検出結果データを画像データと音声データの少なくとも１つに変換し前記提示装置に発信するためのデータ処理装置を更に含む。
【００１６】
例えば、前記通信媒体は、赤外線伝送媒体や、ブルートゥース（登録商標、以下同じ）伝送媒体や、近場通信伝送媒体を含む。
【００１７】
例えば、前記第２電子デバイスはインテリジェントテレビであり、前記第１電子デバイスは前記インテリジェントテレビのリモコンである。
【００１８】
本開示の少なくとも１つの実施例によれば、他の電子デバイスに通信を行うことができる電子デバイスに適用される情報処理方法であって、
ユーザ操作体の入力を受信することと、
ユーザの入力に基づきユーザの生理的体調情報を検出することと、
検出結果データを前記他の電子デバイスに発信し、前記他の電子デバイスで前記ユーザに前記検出された結果データを提示することと、を含む。
【００１９】
例えば、ユーザ操作体の入力に基づきユーザの生理的体調情報を検出する前記ステップは、
前記ユーザ操作体に検出光線を射出することと、
前記ユーザ操作体から反射されてくる光線を受信することと、
前記ユーザの生理的体調情報を取得するように前記反射されてくる光線を処理することと、を含む。
【００２０】
例えば、前記ユーザの生理的体調情報を取得するように前記反射されてくる光線を処理するステップは、
前記反射されてくる光線を電気信号に変換することと、
前記電気信号に応じて前記ユーザの生理的体調情報を算出することと、
を含む。
【００２１】
例えば、ユーザ操作体の入力を受信する前記ステップは、前記ユーザ操作体が前記電子デバイスのボタンに対する入力を受信することと、を含む。
【００２２】
例えば、前記電子デバイスは前記他の電子デバイスを制御するためのリモコンであり、前記ユーザ操作体が前記電子デバイスのボタンに対する入力を受信する前記ステップは、前記ユーザ操作体が前記リモコンのスイッチボタンに対する入力を受信すること、を含む。
【００２３】
例えば、ユーザ操作体の入力を受信する前記ステップは、ユーザ操作体が前記電子デバイスの押下入力を受信すること、を含む。
【００２４】
例えば、ユーザ操作体の入力を受信する前記スッテプの後に、前記方法は、入力信号に応じて検出光源をスイッチオンさせるスイッチオン指令を送信し、検出光源をスイッチオンさせ前記ユーザ操作体に検出光源を出射すること、を更に含む。
【００２５】
例えば、前記生理的体調情報は、血糖の検出と血液の酸素含有量の少なくとも１つを含む。
【００２６】
本開示の少なくとも１つの実施例によれば、更に、情報提示方法であって、第１電子デバイスでユーザ操作体の入力を受信することと、
前記第１電子デバイスがユーザ操作体の入力に応じてユーザの生理的体調情報を検出することと、
前記第１電子デバイスが検出結果データを通信媒体によって接続される前記第２電子デバイスに発信することと、
前記第２電子デバイスが前記検出結果データを受信することと、
前記第２電子デバイスは前記ユーザに前記検出結果データを提示することと、
を含む。
【００２７】
例えば、前記第２電子デバイスが前記ユーザに前記検出結果データを提示するステップは、ユーザに前記検出結果データを表示し、または音声放送すること、を含む。
【００２８】
例えば、前記第２電子デバイスが前記ユーザに前記検出結果データを提示するステップは、前記第２電子デバイスが前記受信された検出結果データを画像データまたは音声データに変換した後に、ユーザに前記検出結果データを提示すること、を含む。
【００２９】
例えば、前記第２電子デバイスはインテリジェントテレビであり、前記第１電子デバイスは前記インテリジェントテレビのリモコンである。
【図面の簡単な説明】
【００３０】
本開示の実施例の技術案をより明瞭に説明するために、以下で実施例の図面に対し簡単に説明する。以下の説明内容における図面は本開示のいくつかの実施例に過ぎなく、本開示をこれに限るものではないことが明らかである。
【図１ａ】図１ａは、本開示の実施例に係る電子デバイスの構造の模式図である。
【図１ｂ】図１ｂは、本開示の実施例に係る電子デバイスにおける各部品の構造の模式図である。
【図２】図２は、本開示の情報処理方法のフロー図である。
【図３】図３は、本開示の電子デバイスシステムの構造の模式図である。
【図４】図４は、本開示の情報提示方法のフロー図である。
【発明を実施するための形態】
【００３１】
本開示の実施例の目的と、技術案と、メリットとをより明瞭にさせるために、以下で本開示の実施例の図面に結合し、本開示の実施例の技術案に明瞭で完全な説明をする。説明しようと実施例は本開示の実施例の一部のみであり、全ての実施例ではないことが勿論である。説明しようとする本開示の実施例に基づき、当業者が進歩性のない前提で得る全ての他の実施例が、本開示の保護範囲内に所属される。
【００３２】
別で定義される以外に、本開示に使用される技術用語か科学用語は本開示の当業者が理解される一般的な意味である。本開示に使用される「第１」と、「第２」及び類似した言葉は、何らかの順番、数量、重要性を表さず、異なる構成要素を区分するためのみである。同様に、「１つ」、「１」、「この」などに類似した言葉も数量を制限するためのものではなく、少なくとも１つ存在することを表す。「含む」か「包含」などに類似した言葉は、この言葉の前に登場された素子またはものがこの言葉の後に列挙された素子またはもの及びその同等物を含むという意味であり、他の素子またはものを排除するわけではない。「接続」か「連なる」などに類似した言葉は物理的もしくは機械的接続を限定するわけではなく、直接的または間接的な電気的接続も含んでもよい。「上」と、「下」と、「左」と、「右」などは相対位置関係を表すためのみで、説明対象の絶対位置が変更されると、この相対位置関係もそれに応じて変更される可能性がある。
【００３３】
図１ａは本開示の第１の実施例に係る電子デバイスの構造図を示す。図１ｂは本開示の実施例に係る電子デバイスにおける各部品の構造の模式図である。以下で図１ａと図１ｂを合わせて電子デバイスにおける各部品及び各部品の位置構造の関係を説明する。この電子デバイス１００は他のデバイスに通信することができるデバイスでもよい。例えば、電子デバイスは、パソコンのマウスと、パソコンのキーボードと、テレビのリモコンと、電話と、モバイル端子と、デジタルカメラと、タブレットＰＣと、ノートパソコンと、ゲーム機と、などを含んでもよいが、それに限定されない。図１に示すように、この電子デバイス１００は、例えば、有線または無線通信手段で、通信媒体で他の電子デバイスに接続することができる。有線通信手段の通信媒体は例えば、電気データ線と、光ファイバーと、電話線でもよく、無線通信手段は例えば、赤外通信と、ブルートゥース通信と、ＷＩＦＩ(Ｗｉｒｅｌｅｓｓ  Ｆｉｄｅｌｉｔｙ)通信と、などでもよい。
【００３４】
図１ａに示すように、この電子デバイス１００は少なくとも入力装置１１０と、検出装置１２０と、発信装置１３０とを含む。入力装置１１０と検出装置１２０とは信号接続され、検出装置１２０と送信装置１３０とは信号接続される。入力装置１１０は、ユーザ操作体の入力を受信するように配置される。検出装置１２０は、ユーザ操作体の入力に基づきユーザの生理的体調情報を検測し検測結果を得るように配置される。発信装置１３０は、検出結果のデータを他のデバイスに送信し、他のデバイスでユーザに検測結果を提供する。
【００３５】
前記ユーザ操作体はユーザが電子デバイスを操作する際の体の部位であり、例えば、ユーザが手で操作する際に、ユーザ操作体が手のある具体的な部位でもよく、全ての手でもよい。
【００３６】
入力装置１１０はユーザ操作体の入力を受信するためのものである。本開示の一例によれば、入力装置１１０は可以是キーボード、マウス、リモコン、タッチスクリーンと、等の電子デバイス１００的ボタンでもよい。例えば、キーボードのボタンと、マウスのボタンと、リモコンのボタンと、タッチパネルのスイッチボタンと、またはタッチパネルなどである。図１ｂに示すように、電子デバイス１００の入力装置１１０は、接触部分１１１及びエッジ部分１１２を含み、接触部分１１１はユーザ操作体に接触するためのものであり、この部分が透明材料によって製造されてもよく、透光性を有する。エッジ部分１１２はボタンの支持部でもよく、この部分は非透明材料によって製造されてもよく、透光性を有しない。検出装置１２０は前記接触部分１１１の下方に位置する。接触部分の透光性とエッジ部分の非透光性のため、検出装置１２０にユーザ操作体が入力装置１１０に接触される部分の情報のみ受信させることができ、他の情報との干渉が防止され、検出精度が向上される。選択的には、前記ボタンは電子デバイスの電源スイッチボタンであり、例えば、テレビリモコンのスイッチボタンである。通常、ユーザが毎日電源スイッチボタンを押下しテレビをつけるため、入力装置が電源スイッチボタンに設けられることによって、ユーザが毎日テレビをつける際に、その生理的体調情報を検出することができ、従来技術のように医療デバイスをわざと取り出して検出する必要がなくなり、ユーザの使用が極便利になる。本開示の一例によれば、ユーザの操作体は例えばユーザの指と、手のひらでもよい。入力装置１１０はユーザ操作体の操作を受信することができる。例えば、操作体の押下操作と、握持操作と、タッチ操作と、などを受信する。入力装置１１０がユーザの上記操作を受信した後に、入力信号が生成され、電子デバイス１００が入力信号を受信した後に、電子デバイス１００の検出装置１２０にスイッチオンの指令を発信することができ、検出装置１２０が前記操作体に対する検出を指示する。
【００３７】
検出装置１２０はユーザの入力に基づきユーザの生理的体調情報を検出するように配置される。本開示の一例によれば、前記検出装置１２０は、検出光源１２１と、光受信ユニット１２２と、処理ユニット１２３と、を含んでもよい。
【００３８】
検出光源１２１はユーザ操作体に検出光線を射出するように配置される。図１ｂに示すように、検出光源１２１は、ユーザが入力装置を押下する際に、ユーザ操作体に検出光線を射出するように、入力装置１１０の下方に配置されてもよい、検出光線は例えばレーザー、赤外光または近赤外光などでもよい。検出光源は例えばレーザーや、赤外発生器などによって実現されてもよい。選択的には、近赤外同調可能光ファイバーレーザーや、赤外線発射管によって実現してもよい。赤外線発射管は赤外発光ダイオードマトリックスによって発光体を構成する。赤外発射ダイオードは赤外輻射効率の高い材料でＰＮ接合に製造され、順方向バイアスが印加されＰＮ接合に電流を入れて赤外光が励起される。通常、赤外発光ダイオードはヒ化ガリウム（ＧａＡｓ）、ひ化ガリウムアルミニウム（ＧａＡｌＡｓ）などの材料が使用され、全透明または水色か黒色の樹脂でパッケージされる。
【００３９】
光受信ユニット１２２はユーザ操作体から反射されてくる光線を受信するように配置される。光受信ユニット１２２は人体に吸収されない、操作体から反射されてくる光線を受信することができるとともに、この光線を処理ユニット１２３に発信し、あるいはプレ処理した後に処理ユニット１２３に発信する。一例において、光接收ユニット１２２は例えば光受信機によって実現されてもよい。光受信機は受信アンテナを含み、受信アンテナは空間で伝達される光の場を収集し探査機の表面に束ねることができる。それによって、最小の付加騒音及びディストーションでライトキャリアに乗せる情報を取り戻す。また、光受信機は受信した光信号を拡大し、整形し、伝送信号を再生する。
【００４０】
処理ユニット１２３は、光受信ユニット１２２が発信したユーザ操作体から反射されてくる光線を処理し、ユーザの生理的体調情報を取得するように配置される。人体における血液の濃度や、ヘモグロビンの含有量または血糖の含有量が異なるため、光線に対する吸収と反射の状況も異なる。それに、ユーザの心臓が収縮する際に、血液の流量が大きいため、光の吸収量もより大きく、逆に、心臓が拡張する際に、血液の流量が小さく、光の吸収量もより小さいため、光の吸収量の周期的な変化の検出によって、心臓の拍動の状況と、血液の濃度と、ヘモグロビンの含有量または血糖の含有量と、を見分けることができる。これらのパラメータによって、ユーザの生理的体調情報、例えば、血糖の含有量と、血液の酸素含有量と、心拍数などの生理指標が得られる。
【００４１】
処理ユニット１２３は光受信ユニット１２２に接続され、光受信ユニット１２２が受信した敏感光線の強度情報に応じて人体の生理的体調情報を得る。処理ユニット１２３は例えば光電変換ユニット１２３１と数字信号処理ユニット１２３２を含んでもよい。光電変換ユニット１２３１は、光接收ユニット１２２が受信した光線を電気信号に変換するように配置され、数字信号処理ユニット１２３２は、電気信号に応じてユーザの生理的体調情報を算出するように配置される。処理ユニット１２３は例えば１つのマイクロプロセッサチップスで実現してもよく、データ信号の受信と、分析と、処理とを行う。選択的には、処理ユニット１２３は光受信ユニット１２２から受信した光信号を騒音除去するまたは干渉除去することもできる。また、処理ユニット１２３は、信号の貯留と検出を実現するように、必要に応じてメモリーとセンサーなどを含んでもよい。
【００４２】
以上で説明した検出操作体の光の吸収状況による非外傷性検出手段は本開示の一例のみであり、検出装置１２０が別の形態の検出装置でもよいことは、当業者にわかるべきである。例えば、検出装置１２０は特定した機能を有するセンサーでもよい。例えば、生物センサーと、容量式センサーなどである。センサーのセンサー信号出力部品に正電極が設けられ、センサー信号受信部品に負電極が設けられ、センサー信号出力部品とセンサー信号受信部品がそれぞれユーザ操作体の任意の２つの異なる部位に接触されると、人体の生体組織と体液に含まれる全ての物質（例えば、酵素と、細胞と、たんぱく質と、微生物など）が導電することができるため、センサー信号出力部品が発射するセンサー駆動信号がユーザ操作体または操作体の分泌物によってセンサー駆動信号受信部品に伝達することができる。その際に、正負電極がクローズされ、センサーのセンサー操作が始まる。異なるユーザの人体組織または体液の電流の伝導に対する誘電率が異なるため、誘電率の検出によってユーザの生理的体調情報を知ることができる。検出装置１２０が容量式センサーの場合に、回路における電気容量の変化値によって、ユーザ操作体の誘電率を検出することができる。検出装置１２０が生物センサーの場合に、その内部における心電計によって心電変化の画像を走査することができることによって、ユーザ操作体の脈拍などのような心電の変化に関する情報を取得する。
【００４３】
検出装置１２０がユーザ操作体に基づきユーザの生理的体調情報を検出すると、送信装置１３０が検出結果データを他の電子デバイスに送信することによって、デバイスでユーザに検出された結果データを提示する。例えば、電子デバイス１００としてのパソコンのマウスがユーザの生理的体調情報を検出すると、それに接続される他の電子デバイスに、例えば、パソコンのホストに送信され、パソコンのホストの出力デバイスによってユーザに検出結果を提示する。電子デバイス１００としてのタブレットＰＣがユーザ的生理体征情報を検出すると、それに接続される他の電子デバイスに、例えば、モバイル端末に送信され、モバイル端末の出力デバイスによってユーザに検出結果を提示する。本開示の一例によれば、他の電子デバイスは表示機能を有し、電子デバイス１００はこの検出結果データを他の電子デバイスに送信することができ、それによって、デバイスで検出データの表示を行う。選択的には、他の電子デバイスはラウドスピーカーを有し、電子デバイス１００はこの検出結果データをデバイスに送信してもよく、それによって、他の電子デバイスで検出データを音声放送し、ユーザに自分の健康状況を便利に知らせる。例えば、電子デバイス１００がテレビのリモコンの場合に、ユーザが日常においてテレビを見ようとする際に、テレビのスイッチボタンを押下すると、テレビのリモコンがユーザの押下によってユーザの血糖含有量の情報を検出することができる。それと同時に、ユーザがスイッチボタンを押下すると、テレビがつけられ、ユーザの血糖含有量の情報がスクリーンによって表示することができ、テレビのラウドスピーカーで音声放送することができる。ユーザが自分の上記の情報を知った後に、テレビ番組の画面に入る。
【００４４】
上記の本開示に係る実施例によって、通常、ユーザが毎日リモコンでテレビをつけ、例えば電源スイッチボタンを押下しテレビをつけるため、それによって、従来の技術のように医療デバイスを購入し使用することによって検出せずに、ユーザが毎日テレビをつけると、自分の生理的体調情報が検出され、ユーザの使用が極便利になる。
【００４５】
以上は本開示に係る第１の実施例における電子デバイスを説明したが、以下に本開示に係る第２の実施例における情報処理方法を更に説明する。この情報処理方法は第１の実施例における電子デバイスに対応するため、明細書の簡潔のために、以下は簡略な説明のみする。
【００４６】
図２は本開示に係る第２の実施例における情報処理方法のフロー図を示す。この情報処理方法２００は図１に示す電子デバイス１００に適用される。以下で図１と図２に結合し、本開示に係る第２の実施例における情報処理方法を説明する。前記電子デバイス１００は、パソコンのマウスと、パソコンのキーボードと、テレビのリモコンと、電話と、モバイル端子と、デジタルカメラと、タブレットＰＣと、ノートパソコンと、ゲーム機と、などを含むが、それに限定されない。この電子デバイスは、例えば、有線または無線通信手段で、通信媒体で他の電子デバイスに接続することができる。有線通信手段の通信媒体は例えば、電線と、光ファイバーと、電話線でもよく、無線通信手段は例えば、赤外通信と、ブルートゥース通信と、ＷＩＦＩ(Ｗｉｒｅｌｅｓｓ  Ｆｉｄｅｌｉｔｙ)通信と、などでもよい。
【００４７】
図２に示すように、ステップＳ２０１において、ユーザ操作体の入力を受信する。本開示の一例によれば、電子デバイス１００の入力装置１１０でユーザの入力を受信する。例えば、キーボードボタンと、マウスボタンと、リモコンボタンと、タッチスクリーンのスイッチボタンまたはタッチパネルと、などを利用する。選択的には、前記ボタンは電子デバイスのスイッチボタンであり、例えば、テレビのリモコンのスイッチボタンである。それによって、ユーザはわざと医療デバイスを取り出して検出する必要がなくなり、毎日テレビをつける際に、自分の生理体征情報を検出することができ、ユーザの使用が極便利になる。本開示の一例によれば、ユーザの操作体は例えばユーザの指と、手のひらでもよい。ユーザ操作体の入力の受信は、ユーザ操作体の押下操作と、握持操作と、タッチ操作と、などをを含んでもよい。入力装置がユーザの上記の入力を受信した後に、入力信号が生成され、この入力信号に基づき、電子デバイス１００は検出装置にスイッチオンの指令を発信することができ、検出装置が前記操作体に対する検出を指示する。
【００４８】
ステップＳ２０２において、ユーザの入力に基づきユーザの生理的体調情報を検出する。本開示の一例によれば、電子デバイス１００における検出装置１２０でユーザの生理的体調情報を検出する。検出装置１２０の具体的な構成及び各部品の具体的な機能は、実施例１の電子デバイスを参照してもよい。ここでは省略する。
【００４９】
例えば、まず、ユーザ操作体に検出光線を発射する。検出光線は例えばレーザー、赤外光または近赤外光などでもよい。次に、ユーザ操作体から反射されてくる光線を受信する。受信した後に、この光線を処理し、ユーザの生理的体調情報を取得する。人体における血液濃度や、ヘモグロビンの含有量または血糖の含有量が異なるため、光線に対する吸収と反射の状況も異なる。それに、ユーザの心臓が収縮する際に、血液の流量が大きいため、光の吸収量もより大きく、逆に、心臓が拡張する際に、血液の流量が小さく、光の吸収量もより小さいため、光の吸収量の周期的な変化の検出によって、心臓の拍動の状況と、血液の濃度と、ヘモグロビンの含有量または血糖の含有量と、を見分けることができる。これらのパラメータによって、ユーザの生理的体調情報、例えば、血糖の含有量と、血液の酸素含有量と、心拍数などの生理指標が得られる。
【００５０】
本開示の一例によれば、ユーザ操作体から反射されてくる光線が電気信号に変換されてから、この電気信号に応じてユーザの生理的体調情報を更に算出することができる。
【００５１】
以上で説明した検出操作体の光の吸収状況による非外傷性検出手段は本開示の一例のみであり、本開示の実施例が別の検出方法、例えば、特定した機能を有するセンサーで操作体の生理的体調情報を検出する方法、を採用してもいよいことは、当業者にわかるべきである。例えば、生物センサーと、容量式センサーなどである。センサーのセンサー信号出力部品に正電極が設けられ、センサー信号受信部品に負電極が設けられ、センサー信号出力部品とセンサー信号受信部品がそれぞれユーザ操作体の任意の２つの異なる部位に接触されると、人体の生体組織と体液に含まれる全ての物質（例えば、酵素と、細胞と、たんぱく質と、微生物など）が導電することができるため、センサー信号出力部品が発射するセンサー駆動信号がユーザ操作体又は操作体の分泌物によってセンサー駆動信号受信部品に伝達することができる。その際に、正負電極がクローズされ、センサーのセンサー操作が始まる。異なるユーザの人体組織又は体液の電流の伝導に対する誘電率が異なるため、誘電率の検出によってユーザの生理的体調情報を知ることができる。例えば、容量式センサーで回路における電気容量の変化値をセンサーし、ユーザ操作体の誘電率を検出する。生物センサーの内部における心電計によって心電変化の画像を走査し、ユーザ操作体の脈拍などのような心電の変化に関する情報を取得する。
【００５２】
ステップＳ２０３において、検出結果データが他の電子デバイスに送信されることによって、他の電子デバイスでユーザに検出された結果データを提示する。本開示の一例によれば、ステップＳ２０２においてユーザ操作体に基づきユーザの生理的体調情報が検出されると、ステップＳ２０３において検出結果データが他の電子デバイスに送信されることによって、このデバイスでユーザに検出された結果データを提示する。例えば、パソコンのマウスでユーザの生理的体調情報を検出した後に、それに接続される他の電子デバイスに、例えば、パソコンのホストに送信され、パソコンのホストの出力デバイスによってユーザに検出結果を提示する。タブレットＰＣでユーザの生理的体調情報を検出した後に、それに接続される他の電子デバイス、例えば、モバイル端末に送信され、モバイル端末の出力デバイスによってユーザに検出結果を提示する。本開示の一例によれば、他の電子デバイスで検出データの表示を行ってもよい。選択的には、他の電子デバイスで検出データを音声放送してもよく、それによって、ユーザに自分の健康状況を便利に知らせる。例えば、ユーザが日常においてテレビを見ようとする際に、テレビのスイッチボタンを押下すると、テレビのリモコンがユーザの押下によってユーザの血糖含有量の情報を検出することができる。それと同時に、ユーザがスイッチボタンを押下すると、テレビがつけられ、ユーザの血糖含有量の情報がスクリーンによって表示することができ、テレビのラウドスピーカーで音声放送することができる。ユーザが自分の上記の情報を知った後に、テレビ番組の画面に入る。
【００５３】
上記の本開示に係る実施例によって、ユーザがわざと医療デバイスを購入し使用せずに、日常生活において自分の生理的体調情報を便利に知り、自分の健康状況を認識し、ユーザが極便利になる。
【００５４】
以上は本開示に係る第１の実施例における電子デバイスと本開示に係る第２の実施例における情報処理方法を説明した。以下に本開示に係る第３の実施例における電子デバイスシステムを更に説明する。この電子デバイスシステムは、本開示に係る第１の実施例における電子デバイスと、そのデバイスに接続される他の電子デバイスと、を含む。第３の実施例において、上記電子デバイスは第１電子デバイスと呼ばれ、上記他の電子デバイスは第２電子デバイスと呼ばれる。第１電子デバイスの構造について、ここで省略し、本開示の第１の実施例における電子デバイスを参考すればよい。以下は第２電子デバイスのみ詳細な説明をする。
【００５５】
図３は本開示に係る第３実施例における電子デバイスシステムの模式的なフレーム図を示す。図３に示すように、この電子デバイスシステムは、第１電子デバイス３１０と、第２電子デバイス３２０と、を含み、第１電子デバイス３１０は、例えば、有線または無線通信手段で、通信媒体によって第２電子デバイス３２０に通信することができる。有線通信手段の通信媒体は例えば、電気データ線と、光ファイバーと、電話線でもよく、無線通信手段は例えば、赤外通信と、ブルートゥース通信と、WIFI(Wireless Fidelity)通信と、などでもよい。
【００５６】
第１電子デバイス３１０は、ユーザ操作体の入力を受信するように配置される入力装置３１１と、ユーザの入力に応じて、ユーザの生理的体調情報を検出するように配置される検出装置３１２と、検出結果データを第２電子デバイス３２０に送信するように配置される発信装置３１３と、を含む。具体的な案は本開示の第１実施例における電子デバイス１００を参照すればよい。
【００５７】
例えば、この実施例における第１電子デバイスは第１実施例における任意の電子デバイスを採用することができ、この電子デバイスの具体的な構造と機能について、ここで省略する。
【００５８】
また、第２電子デバイス３２０は、第１電子デバイス３２０から発信されてくる検出結果データを受信するように配置される受信装置３２１を含む。受信装置３２１が検出結果データを受信した後に、ユーザに情報を提示するように、このデータを提示装置３２２に送信する。受信装置３２１は例えば赤外受信機と、光受信機と、ＣＰＵと、などでもよい。提示装置３２２はユーザに検出結果データを提示するように配置される。提示装置３２２は、例えば表示ユニットまたはラウドスピーカーのような、電子デバイスの出力装置でもよい。表示ユニットはユーザに検出結果データを表示することができ、ウドスピーカーはユーザに検出結果データを音声放送することができる。
【００５９】
それ以外に、本開示の一例によれば、第２電子デバイス３２０はデータ処理装置３２３を含んでもよく、データ処理装置３２３は、受信装置３２１より受信された検出結果データを画像データまたは音声データに変換した後に、提示装置３２２に送信することができる。
【００６０】
本開示の一例によれば、第１電子デバイス３１０はテレビのリモコンであり、第２電子デバイス３２０はインテリジェントテレビである。当ユーザがテレビを見ようとする際に、テレビのリモコンのスイッチボタンを押下すると、テレビのリモコンがユーザの押下操作に基づき検出ユーザの血糖の含有量情報を検出することができる。それと同時に、ユーザがスイッチボタンを押下すると、インテリジェントテレビがつけられ、ユーザの血糖の含有量情報がインテリジェントテレビのスクリーンによって表示され、または、テレビのラウドスピーカーによって音声放送されることができる。上記情報が表示されるまでの予定時間が経った後に、あるいは、ユーザの確認選択に応じて、インテリジェントテレビがテレビ番組の画面に入る。選択的には、検出結果提示画面は初期画面を代替してもよく、それによって、テレビ番組を見ることに影響を及ぼさないようにする。
【００６１】
本開示に係る実施例における電子デバイスシステムによれば、ユーザが医療デバイスを購入する必要がなく、日常における家電用品の使用中において自分の健康状況を知ることができ、家電用品の機能が開拓され、製造材料も節約され、ユーザの使用が便利になる。
【００６２】
以上は本開示に係る第３の実施例における電子デバイスシステムを説明したが、以下に本開示に係る第４の実施例における情報提示方法を更に説明する。図４は本開示に係る第４の実施例における情報提示方法のフロー図である。図３は本開示に係る第３の実施例の電子デバイスシステムの構造の模式図である。第４の実施例における情報提示方法と第３の実施例における電子デバイスシステムに対応する。以下で図３と図４を参照に、本開示に係る第４の実施例における情報提示方法を説明する。
【００６３】
図４に示すように、ステップS４０１において、第１電子デバイスでユーザ操作体の入力を受信する。ステップS４０２において、前記第１電子デバイスはユーザの入力に応じてユーザの生理的体調信息を検出する。ステップS４０３において、前記第１電子デバイスは検出結果データを通信媒体によって接続される前記第２電子デバイスに送信する。上記３つのステップは、本開示に係る第２の実施例における電子デバイスに適用される情報処理方法と同一のため、ここで省略する。
【００６４】
ステップS４０４において、前記第２電子デバイスは前記検出結果データを受信する。本開示の一例によれば、第２電子デバイスの受信装置３２１は第１電子デバイスから検出結果データを受信し、検出結果データを受信した後に、このデータを提示装置３２２に送信することでユーザに情報を提示する。受信装置３２１は例えば赤外受信機と、光受信機と、ＣＰＵと、などでもよい。
【００６５】
ステップS４０5において、前記第２電子デバイスは前記ユーザに前記検出結果データを提示する。本開示の一例によれば、第２電子デバイスは提示装置３２２でユーザに検出結果データを提示する。提示装置３２２は、例えば、表示ユニットまたはラウドスピーカーのような電子デバイスの輸出装置でもよい。表示ユニットによってユーザに検出結果データを表示することができ、ラウドスピーカーによってユーザに検出結果データを音声放送することができる。
【００６６】
それ以外に、本開示の一例によれば、第２電子デバイス３２０はデータ処理装置３２３を利用し、受信装置３２１より受信された検出結果データを画像データまたは音声データに変換した後に、提示装置３２２に送信することもできる。
【００６７】
本開示の一例によれば、第１電子デバイス３１０はテレビのリモコンであり、第２電子デバイス３２０はインテリジェントテレビである。ユーザがテレビを見ようとする際に、テレビのリモコンのスイッチボタンを押下すると、テレビのリモコンがユーザの押下操作に基づきユーザの血糖の含有量情報を検出することができる。それと同時に、ユーザがスイッチボタンを押下すると、インテリジェントテレビがつけられ、ユーザの血糖の含有量情報がインテリジェントテレビのスクリーンで表示され、または、テレビのラウドスピーカーで音声放送されることができる。上記情報が表示されるまでの予定時間が経った後に、あるいは、ユーザの確認選択に応じて、インテリジェントテレビがテレビ番組の画面に入る。
【００６８】
本開示に係る実施例における情報提示方法によれば、ユーザは医療デバイスを購入する必要がなく、日常における家電用品の使用中において自分の健康状況を知ることができ、家電用品がよりインテリジェント化になり、ユーザの使用が便利になる。
【００６９】
以上説明したのは本開示の具体的な実施形態のみであり、本開示の保護範囲をこれに限定するためのものではなく、本開示が公開した技術範囲内において、変更または代替を加えることが簡単に考えられることが当業者に明らかである。その変更または代替を加えた形態も本発明の保護範囲に含まれ得る。そのため、本開示の保護範囲は前記請求項の保護範囲を準ずるべきである。
【００７０】
本願は、２０１６ 年３ 月２ 日出願の中国特許出願番号２０１６１０１１８４９０．４号に基づく優先権を主張し、ここで、前記中国特許出願の全ての開示内容は、参照により全体として本願に組み込まれる。
【符号の説明】
【００７１】
１００  電子デバイス
１１０  入力装置
１１１  接触部分
１１２  エッジ部分
１２０  検出装置
１２１  検出光源
１２２  光受信ユニット
１２３  処理ユニット
１２３１  光電変換ユニット
１２３２  数字信号処理ユニット
１３０  発信装置
３１０  第１電子デバイス
３１１  入力装置
３１２  検出装置
３１３  発信装置
３２０  第２電子デバイス
３２１  受信装置
３２２  提示装置
３２３  データ処理装置
【図１ａ】
2019514443.tif 000003
【図１ｂ】
2019514443.tif 000004
【図２】
2019514443.tif 000005
【図３】
2019514443.tif 000006
【図４】
2019514443.tif 000007
【国際調査報告】
2019514443.tif 000008
2019514443.tif 000009
2019514443.tif 000010
2019514443.tif 000011